(57)【要約】【課題】運転中に停電等で通電が遮断されても、復電したとき加湿器の乾燥運転を行い、加湿器が湿潤状態に放置されることのない加湿装置を得る。【解決手段】自然蒸発式で通風路を通過する空気を加湿する加湿器７と、給水源に接続され、加湿器７に加湿用の水を送水する給水系と、加湿器７から水を排水する排水系と、通風路を通過する空気流を形成する送風機５と、給水系や排水系並びに送風機５を制御するとともに運転情報を記憶する不揮発性の記憶手段１７を持つ制御手段１６とを備え、その制御手段１６により、運転中に停電等で通電が遮断した後、復電したとき、通電遮断時の記憶手段１７の運転情報を読出し、所定時間、給水系を閉止し、排水系を開放し、送風機５を運転させる乾燥運転を行ってから通電遮断時の記憶手段１７の運転情報に基づく運転モードで運転させるようにする。【選択図】          図３
2004324999.tif 000002
【特許請求の範囲】
【請求項１】
透湿膜に臨む複数の通風路を備え、その通風路を通過する空気を加湿する加湿器と、給水源に接続され、前記加湿器に加湿用の水を送水する給水系と、前記加湿器から水を排水する排水系と、前記通風路を通過する空気流を形成する送風機と、前記給水系や排水系並びに前記送風機を制御するとともに運転情報を記憶する不揮発性の記憶手段を持つ制御手段とを備え、その制御手段により、運転中に停電等で通電が遮断した後、復電したとき、通電遮断時の前記記憶手段の運転情報を読出し、所定時間、前記給水系を閉止し、前記排水系を開放し、送風機を運転させる乾燥運転を行ってから通電遮断時の前記記憶手段の運転情報に基づく運転モードで運転させるようにした加湿装置。
【請求項２】
請求項１に記載の加湿装置であって、制御手段に停電復帰自動運転設定手段を設け、この制御手段により、運転中に停電等で通電が遮断した後、復電したとき、通電遮断時の記憶手段の運転情報を読出し、加湿運転であれば、前記停電復帰自動運転設定手段の設定に基づいて加湿運転又は乾燥運転を行わせるようにした加湿装置。
【請求項３】
請求項１に記載の加湿装置であって、制御手段に停電復帰自動運転設定手段を設け、この制御手段により、運転中に停電等で通電が遮断した後、復電したとき、通電遮断時の記憶手段の運転情報を読出し、加湿運転であれば、所定時間の間乾燥運転を行わせた後、前記停電復帰自動運転設定手段の設定に基づいて加湿運転又は乾燥運転を行わせるようにした加湿装置。
【請求項４】
室内の空気を取入れ室外へ排気するための排気通路と、室外の空気を取入れ室内へ給気するための給気通路とを本体箱体内に画成し、その給気通路の一部を熱交換器の二次通路と加湿器の通風路で構成し、前記排気通路の一部を前記熱交換器の一次通路で構成し、前記給気通路には前記熱交換器の二次通路を経て前記加湿器を通過する給気流を形成する給気用送風機を設け、前記排気通路には前記熱交換器の一次通路を通過する排気流を形成する排気用送風機を設けた加湿機能付き換気装置であって、前記加湿器を、透湿膜に臨む複数の通風路を備え、その通風路を通過する空気を加湿する構成とするとともに、加湿に係る運転情報を記憶する不揮発性の記憶手段を持つ制御手段を設け、この制御手段により、運転中に停電等で通電が遮断した後、復電したとき、通電遮断時の前記記憶手段の運転情報を読出し、所定時間、前記給水系を閉止し、前記排水系を開放し、送風機を運転させる乾燥運転を行ってから通電遮断時の前記記憶手段の運転情報に基づく運転モードで運転させるようにした加湿機能付き換気装置。
【発明の詳細な説明】
【０００１】
【発明の属する技術分野】
本発明は、加湿雰囲気を形成する気化式の加湿装置及び換気とともに加湿雰囲気を形成する加湿機能付き換気装置に関するものである。
【０００２】
【従来の技術】
気化式の加湿装置は、透湿膜でできた多数の袋体による加湿器を送風通路内に置き、加湿器に水を供給して、空気との熱交換により加湿器の水を気化させ、空気を加湿するものであり、空気中の潜熱を増加させる機能を果たすものである。このような気化式の加湿装置では、加湿運転を停止すると、多量の水分を含有した状態で袋体が放置されることになり、送風機も停止するため、袋体の周囲に空気が滞留し、袋体から蒸発した水蒸気が飽和して加湿器の周辺を含め湿潤状態になり易い。このような湿潤状態においてでは、空気中に浮遊しているカビの胞子や細菌が袋体に付着し、繁殖し易い。このような湿潤状態を解消するために、加湿運転を予め設定された時刻に停止させるに際し、その時刻より所定時間前に加湿器への給水を停止させ、送風機だけを運転させて、加湿器を乾燥させる方法が採られている（例えば、特許文献１参照）。
【０００３】
【特許文献１】
特開２００２−２３５９４６号公報
【０００４】
【発明が解決しようとする課題】
上述した従来の加湿装置は、加湿運転の停止時刻前に加湿器を所定時間の間乾燥させる乾燥運転を行うものであるため、加湿運転中に停電等で通電が遮断された場合には、停電が復帰し復電したときには加湿器は運転停止で起動することになる。そしてこの運転停止状態のまま加湿運転が行われなければ、加湿器は湿潤状態のまま放置され、カビや細菌の増殖を招き、その後、加湿運転を行うと加湿空気が臭いを帯たりすることになる。
【０００５】
本発明は、上記した従来の課題を解消するためになされたもので、その課題とするところは、運転中に停電等で通電が遮断されても、復電したとき加湿器の乾燥運転を行い、加湿器が湿潤状態に放置されることのない加湿装置を得ることであり、その加湿装置を組込んだ加湿機能付き換気装置を得ることである。
【０００６】
【課題を解決するための手段】
前記課題を達成するために本発明は、透湿膜に臨む複数の通風路を備え、その通風路を通過する空気を加湿する加湿器と、給水源に接続され、加湿器に加湿用の水を送水する給水系と、加湿器から水を排水する排水系と、通風路を通過する空気流を形成する送風機と、給水系や排水系並びに送風機を制御するとともに運転情報を記憶する不揮発性の記憶手段を持つ制御手段とを備え、その制御手段により、運転中に停電等で通電が遮断した後、復電したとき、通電遮断時の記憶手段の運転情報を読出し、所定時間、前記給水系を閉止し、排水系を開放し、送風機を運転させる乾燥運転を行ってから通電遮断時の記憶手段の運転情報に基づく運転モードで運転させるようにする手段を採用する。
【０００７】
前記課題を達成するために他の発明は、換気装置の熱交換器の下流側の給気通路に上記した加湿装置を組込む手段を採用する。
【０００８】
【発明の実施の形態】
実施の形態１．
図１〜図５は本実施の形態の加湿機能付き換気装置を示すものである。この加湿機能付き換気装置は、給排気流間で連続的に熱交換させながら換気を行う熱交換換気装置に加湿装置を組込み、必要時には室内へ供給する給気流を加湿して加湿雰囲気の気流にするものである。換気装置の本体箱体１内には、室外の新鮮な空気を室内へ供給するための給気通路２と、室内の空気を室外へ排気するための排気通路３とが仕切壁により全経路において独立状態に画成されている。排気通路３には排気流を形成する送風機４が、また、給気通路２には給気流を形成する送風機５が組込まれている。
【０００９】
給気通路２と排気通路３のそれぞれの一部は、内蔵された積層型で六面体の熱交換器６の二次通路と一次通路でそれぞれ構成され、排気流と給気流との間で連続的な熱交換が可能に構成されている。熱交換器６に近い給気通路２には、給気通路２の当該部分を横断する状態に加湿装置の中核となる加湿器７が組込まれている。送風機５は、給気通路２に熱交換器６の二次通路を経て加湿器７を通過する給気流を吸込み側において形成するように本体箱体１内の一側部側に組込まれ、送風機４は、排気通路３に熱交換器６の一次通路を通過する排気流を吸込み側において形成するように本体箱体１内の他側部側に組込まれている。
【００１０】
給気通路２の入口端は、本体箱体１の一側に開設された給気吸込口８であり、ダクト接続可能の接続口として形成され、その出口端は、本体箱体１の他側に開設された給気吹出口９で、ダクト接続可能の接続口として形成されている。また、排気通路３の入口端は、本体箱体１の他側に開設された排気吸込口１０で、ダクト接続可能の接続口として形成され、その出口端は、本体箱体１の一側に開設された排気吹出口１１で、ダクト接続可能の接続口として形成されている（図１参照）。
【００１１】
加湿装置は、図２に斜視図で示すように加湿器７と、加湿器７で生じるドレンを受容し外部に排水するドレン容器１２と、水道設備等の給水源に接続され、加湿器７に加湿用の水を送水する給水系と、加湿器７に空気流を通過させる送風機５とから構成されている。換気装置に加湿装置を組込む場合には、送風機に関しては、換気装置の給気用の送風機５がその機能を果たすため別に設ける必要はない。
【００１２】
加湿器７は、図１に示すように熱交換器６より下流側の給気通路２の下部に設置されたドレン容器１２上に一個又は複数個（図示のものは二個）が直接設置される。各加湿器７の天部構造の両側の稜角部は、仕切壁と本体箱体１の正面側内壁面とに装架されたガイドレールに抜き差し可能に保持されている。加湿器７には加湿用の水を供給する電磁弁１４を備えた給水系と、排水のための排水弁１５を有する排水系が構成されている。
【００１３】
加湿器７自体は自然蒸発式であり、同形同寸法の多数の加湿機能体が複数枚積層されて、図２に示すような六面体に構成されている。加湿器７には空気を通す通風路となる送気層と水を蓄える保水層とが一層おきに形成されている。各加湿機能体は、保水層を構成する導水体と送気層を構成するスペーサとから構成され、保水層を構成する導水体は、剛直性と通水性を持つ三次元多孔板よりなる導水部材（図示しない）を、水は透過せずに水蒸気については透過する多孔性の透湿膜により形成した袋状の膜体内に封入し、両者の結合した複合シート構造の長方形や正方形の扁平部材として構成されている。
【００１４】
加湿器７に加湿用の水を送水する給水系は、加湿器７に給水する水の圧力と流量を調整する電磁弁１４と、給水系への塵の侵入を防ぐストレーナを含む水路として構成され、給水源側との接続部を除く給水系の各接続部分は、図２に示すように全てドレン容器１２内に集約されている。
【００１５】
加湿装置の停止時には給水系の電磁弁１４は閉止され、排水系の排水弁１５は開放される。この電磁弁１４や排水弁１５並びに送風機５は制御手段１６により制御される。制御手段１６は、マイクロプロセッサやシーケンサ等によって構成され、図３に示すように加湿装置の運転情報を記憶する不揮発性の記憶手段１７と、通電検知部１８とを備えている。また、例えば、停電等によって給電が断たれた場合でも、少しの時間は通電状態を維持できるように図示しないコンデンサ等のバックアップ手段が備えられていて、このバックアップ手段により、停電等により給電が断たれたときでも加湿装置の運転情報を記憶手段１７に書込むことができる。制御手段１６には、コントロール部に加湿運転、乾燥運転、停止を指示するコントロールスイッチ２０が設けられ、このコントロールスイッチ２０により、運転モードの設定が行われる。
【００１６】
加湿装置が運転中に停電等により通電が遮断されると、制御手段１６は図４に示すフローチャートに従って停電時の処理動作を行う。即ち、ステップ♯１で通電検知部１８が停電を検知すると、ステップ♯２で、そのときの運転情報を記憶手段１７に書込む処理をして、停電時の処理を終了する。そして、通電検知部１８が通電を検知し、復電したときは、制御手段１６は、図５に示すフローチャートに従って復電時の処理を行う。即ち、ステップ♯３で記憶手段１７から停電時の運転情報の読込みを行い、ステップ♯４へ進む。ステップ♯４では運転情報が加湿運転かどうかを判定し、加湿運転であればステップ♯５へ進み、そうでなければステップ♯７へ進む。ステップ♯５では、所定時間（透湿膜により形成された袋状の膜体の水分を乾燥させるに十分な時間、例えば３時間）、電磁弁１４を閉じ、排水弁１５を開放し、送風機５を運転させる乾燥運転を行う処理をしてステップ♯６へ進み、加湿運転に移行する処理をして終了する。ステップ♯７では、運転情報の運転モード、乾燥運転か停止の処理をして処理を終了する。
【００１７】
復電した際に、停電時の運転情報が加湿運転であってもステップ♯５で乾燥運転を行うのは、停電して加湿装置が停止した場合、復電時には一旦、加湿器７を乾燥させ、カビの胞子や細菌の付着を防止する意味がある。乾燥運転と言っても、加湿器７には水分が残存し、これを蒸発させる動作であるので、時間の進行につれ加湿量は少なくなるが消極的な加湿運転ということができる。
【００１８】
実施の形態２．
図６から図８に示す本実施の形態は加湿装置に関するものである。この加湿装置も基本的構成は実施の形態１で示した熱交換換気装置に組込んだ加湿装置と同じである。従って、実施の形態１のものと同じ部分については、実施の形態１のものと同じ符号を用い、それらについての説明は省略する。また、図４については本実施の形態でも援用することにする。
【００１９】
この加湿装置は、コントロール部に停電復帰自動運転スイッチ２１が設けられている。この停電復帰自動運転スイッチ２１は、停電復帰後の運転モードを設定する設定スイッチであり、利用者が予め停電復帰後の運転モードを加湿運転か乾燥運転かのいずれかに設定するものである。この加湿装置の制御手段１６は、図６に示すように空調装置２２と通信線で接続でき、空調装置２２からも運転モードの指示が可能である。
【００２０】
加湿装置が運転中に停電等により通電が遮断されると、制御手段１６は図４に示すフローチャートと同様の停電時の処理動作を行う。即ち、ステップ♯１で通電検知部１８が停電を検知すると、ステップ♯２で、そのときの運転情報を記憶手段１７に書込む処理をして、停電時の処理を終了する。そして、通電検知部１８が通電を検知し、復電したときは、制御手段１６は、図７に示すフローチャートに従って復電時の処理を行う。即ち、ステップ♯８で記憶手段から停電時の運転情報の読込みを行い、ステップ♯９へ進む。ステップ♯９では運転情報が加湿運転かどうかを判定し、加湿運転であればステップ♯１０へ進み、そうでなければステップ♯１２へ進む。ステップ♯１０では停電復帰自動運転スイッチ２１が加湿運転に設定されているかどうかの判定を行い、加湿運転に設定されていればステップ♯１１で加湿運転する処理をして終了する。ステップ♯１０で乾燥運転に設定されていれば、ステップ♯１３で乾燥運転する処理をして終了する。ステップ♯１２では、停電時の運転情報に基づき、停止又は乾燥運転の処理をして終了する。これにより、停電が復電したとき、停電時の運転モードが、停止又は乾燥運転であれば停止又は乾燥運転で起動し、加湿運転モードであれば、停電復帰自動運転スイッチ２１の設定に従って、加湿運転モード又は乾燥運転モードで起動することになる。
【００２１】
この制御シーケンスでは、停電時の運転情報が加湿運転で、停電復帰自動運転スイッチ２１が加湿運転に設定されている場合には、加湿器７は乾燥されることはなく、停電が長期にわたることはあまりないので、カビの繁殖や細菌の繁殖といった問題はないが、停電が長期にわたった場合に対応できる制御シーケンスを採用することも可能である。即ち、図８のフローチャートで示すように図７のフローチャートのステップ♯９とステップ♯１０の間に、乾燥運転の処理をするステップ♯１４を挿入すればよい。これにより、加湿運転モードで停電した場合の復電時の起動は、乾燥運転モードから行われ加湿器７は乾燥状態におかれることになる。
【００２２】
【発明の効果】
本発明によれば、運転中に停電等で通電が遮断されても、復電したとき加湿器の乾燥運転を行い、加湿器が湿潤状態に放置されることのない加湿装置が得られる。
【００２３】
また他の発明によれば、運転中に停電等で通電が遮断されても、復電したとき加湿器の乾燥運転を行い、加湿器が湿潤状態に放置されることのない加湿機能付き換気装置が得られる。
【図面の簡単な説明】
【図１】実施の形態１の加湿機能付き換気装置の構成を天板部及び側板を除いて示す斜視図である。
【図２】実施の形態１の加湿装置を拡大して示す斜視図である。
【図３】実施の形態１の加湿装置の制御手段を示すブロック構成図である。
【図４】実施の形態１の加湿装置の停電時の制御動作を示すフローチャートである。
【図５】実施の形態１の加湿装置の復電時の制御動作を示すフローチャートである。
【図６】実施の形態２の加湿装置の制御手段を示すブロック構成図である。
【図７】実施の形態２の加湿装置の復電時の制御動作を示すフローチャートである。
【図８】実施の形態２の加湿装置の復電時の他の制御動作を示すフローチャートである。
【符号の説明】
１  本体箱体、  ２  給気通路、  ３  排気通路、  ４  送風機、  ５  送風機、  ６  熱交換器、  ７  加湿器、  １４  電磁弁、  １５  排水弁、  １６制御手段、  １７  記憶手段、  １８  通電検知部、  ２１  停電復帰自動運転スイッチ。
【図１】
2004324999.tif 000003
【図２】
2004324999.tif 000004
【図３】
2004324999.tif 000005
【図４】
2004324999.tif 000006
【図５】
2004324999.tif 000007
【図６】
2004324999.tif 000008
【図７】
2004324999.tif 000009
【図８】
2004324999.tif 000010